【事件の表示】
　平成　９年特許願第２８２８５２号「表示装置」拒絶査定不服審判事件〔平成１１年　４月２３日出願公開、特開平１１−１０９９１１〕について、次のとおり審決する。
【結　論】
　本件審判の請求は、成り立たない。
【理　由】
１．手続きの経緯
　本願は、平成９年９月３０日の出願であって、平成１６年４月２８日付け（発送日；同年５月１１日）で拒絶査定がなされ、これに対して、同年６月１０日に拒絶査定に対する審判請求がなされるとともに、同年７月８日付けで手続補正がなされたものである。
　
２．平成１６年７月８日付けの手続補正についての補正却下の決定
［補正却下の決定の結論］
　平成１６年７月８日付けの手続補正を却下する。
［理由］
（１）補正の内容
　本件補正は、補正前の特許請求の範囲、
「【請求項１】　表示素子を配列すると共に当該表示素子それぞれに絶対アドレスを付与して画面を構成した表示手段と、
　前記絶対アドレスを前記表示手段において画面を画定し得る相対アドレスに変換し且つ当該相対アドレスの変更を行うアドレス制御手段と、
　を備え、前記相対アドレスを持つ表示データを前記表示手段に供給して当該表示手段上の画面に画像を表示すると共に、前記相対アドレスを変更することにより前記画面上の画像の位置および表示サイズを変更することを特徴とする表示装置。
【請求項２】　さらに、前記表示手段に供給する表示データを前記表示素子単位で記憶する表示素子記憶手段と、
　この記憶手段に記憶した表示データを表示素子に送出する表示データ送出手段と、を備えたことを特徴とする請求項１に記載の表示装置。
【請求項３】　特定フォーマットにより画面を分割し、この分割単位を更に分割することによって当該分割を連鎖的に繰り返す画面分割手段と、
　前記分割単位をビットにより特定して表示データを供給する表示データ供給手段と、
　前記ビットを操作することにより前記分割単位の位置やサイズを変更するビット操作手段と、
を備えたことを特徴とする表示装置。
【請求項４】　さらに、前記供給する表示データを記憶する記憶手段と、
　この記憶手段に記憶した表示データをデータバス上に送出する表示データ送出手段と、を備えたことを特徴とする請求項１から３のいずれか１つに記載の表示装置。
【請求項５】　マトリックス状に表示素子を配列して画面を構成した表示手段と、
　前記画面の分割を繰り返すとともに、前記分割する毎に各分割単位に対してアドレスを付与し、
　前記分割単位を前記アドレスにより特定し、
　当該特定した分割単位に表示データを供給することで前記画面に画像を表示させるにあたり、前記アドレスを変更することで画像の移動または拡大あるいは縮小を行う制御手段と、
を備えたことを特徴とする表示装置。
【請求項６】　前記制御手段が、複数の異なる画像に係るそれぞれの表示データに異なるアドレスをあてがい、それらのアドレスにより画定する位置に、前記複数の異なる画像を同時に表示させることを特徴とする請求項５に記載の表示装置。
【請求項７】　マトリックス状に表示素子を配列して画面を構成した表示手段と、
　前記画面の４分割を繰り返すとともに、前記４分割する毎に各分割単位に対して、「００」、「０１」、「１０」、「１１」の２ビットの第１のアドレスを付与し、つぎに、第１のアドレスによって特定される１／４画面を更に４分割し、各分割単位に対して、「００」、「０１」、「１０」、「１１」の２ビットの第２のアドレスを付与し、以降、任意の回数だけ前記分割およびアドレス付与を繰り返し、
　前記分割単位を前記アドレスにより特定し、
　当該特定した分割単位に表示データを供給することで前記画面に画像を表示させるにあたり、前記アドレスを２ビット単位で除去または追加することにより画像の拡大または縮小を行う制御手段と、
を備えたことを特徴とする表示装置。
【請求項８】　マトリックス状に表示素子を配列して画面を構成した表示手段と、
　前記画面の４分割を繰り返すとともに、前記４分割する毎に各分割単位に対して、「００」、「０１」、「１０」、「１１」の２ビットの第１のアドレスを付与し、つぎに、第１のアドレスによって特定される１／４画面を更に４分割し、各分割単位に対して、「００」、「０１」、「１０」、「１１」の２ビットの第２のアドレスを付与し、以降、任意の回数だけ前記分割およびアドレス付与を繰り返し、
　前記分割単位を前記アドレスにより特定し、
　当該特定した分割単位に表示データを供給することで前記画面に画像を表示させるにあたり、前記アドレスの下位ビットに、当該アドレスにより特定する画面を４分割したときの各分割単位の画面特定アドレス「００」、「０１」、「１０」、「１１」のうち任意中心点に最も近いものを除去または付加して行くことで画像の拡大または縮小を行う制御手段と、
を備えたことを特徴とする表示装置。
【請求項９】　マトリックス状に表示素子を配列して画面を構成した表示手段と、
　前記画面の４分割を繰り返すとともに、前記４分割する毎に各分割単位に対して、「００」、「０１」、「１０」、「１１」の２ビットの第１のアドレスを付与し、つぎに、第１のアドレスによって特定される１／４画面を更に４分割し、各分割単位に対して、「００」、「０１」、「１０」、「１１」の２ビットの第２のアドレスを付与し、以降、任意の回数だけ前記分割およびアドレス付与を繰り返し、
　前記分割単位を前記アドレスにより特定し、
　当該特定した分割単位に表示データを供給することで前記画面に画像を表示させるにあたり、前記アドレスのビット列から偶数桁および奇数桁を抽出して２進数形式とし、当該抽出した数に加算または減算を行うことでアドレスを変更し、画像の移動を行う制御手段と、
を備えたことを特徴とする表示装置。」
　を、
「【請求項１】　表示素子を配列すると共に当該表示素子それぞれに絶対アドレスを付与して画面を構成した表示手段と、
　前記絶対アドレスを前記表示手段において画面を画定し得る相対アドレスに
変換するアドレス変換手段と、
　
前記相対アドレスを持つ表示データが前記表示手段に供給されて前記表示手段上の画面に表示された現画像に対し、前記相対アドレスを用い該相対アドレスの部分的変更によって前記現画像の部分的位置あるいは部分的表示サイズを変更する相対アドレス変更手段と、
　を備えたことを特徴とする表示装置。
【請求項２】　さらに、前記表示手段に供給する表示データを前記表示素子単位で記憶する表示素子記憶手段と、
　この記憶手段に記憶した表示データを表示素子に送出する表示データ送出手段と、
　を備えたことを特徴とする請求項１に記載の表示装置。
【請求項３】　特定フォーマットにより
表示手段の
　前記分割単位
およびこの分割単位に対応した前記表示手段の画面上の相対アドレス
前記表示手段に
　前記ビットを操作することにより前記分割単位の位置やサイズを変更するビット操作手段と、
　を備えたことを特徴とする表示装置。
【請求項４】　さらに、前記供給する表示データを記憶する記憶手段と、
　この記憶手段に記憶した表示データをデータバス上に送出する表示データ送出手段と、
　を備えたことを特徴とする請求項１から３のいずれか１つに記載の表示装置。
【請求項５】　マトリックス状に表示素子を配列して画面を構成した表示手段と、
　前記画面の分割を繰り返すとともに、前記分割する毎に各分割単位に対して
相対
　前記分割単位を前記
相対
　当該特定した分割単位に表示データを供給することで前記画面に画像を表示させるにあ
たり、前記
相対
手段と、
　を備えたことを特徴とする表示装置。
【請求項６】　前記制御手段が、複数の異なる画像に係るそれぞれの表示データに異なる
相対
相対
【請求項７】　マトリックス状に表示素子を配列して画面を構成した表示手段と、
　前記画面の４分割を繰り返すとともに、前記４分割する毎に各分割単位に対して、「００」、「０１」、「１０」、「１１」の２ビットの第１の
相対
相対
相対
　前記分割単位を前記
相対
　当該特定した分割単位に表示データを供給することで前記画面に画像を表示させるにあたり、前記
相対
　を備えたことを特徴とする表示装置。
　　【請求項８】　マトリックス状に表示素子を配列して画面を構成した表示手段と、
　前記画面の４分割を繰り返すとともに、前記４分割する毎に各分割単位に対して、「００」、「０１」、「１０」、「１１」の２ビットの第１の
相対
、第１の
相対
相対
相対
　前記分割単位を前記
相対
　当該特定した分割単位に表示データを供給することで前記画面に画像を表示させるにあたり、前記
相対
相対
　を備えたことを特徴とする表示装置。
　　【請求項９】　マトリックス状に表示素子を配列して画面を構成した表示手段と、
　前記画面の４分割を繰り返すとともに、前記４分割する毎に各分割単位に対して、「００」、「０１」、「１０」、「１１」の２ビットの第１の
相対
、第１の
相対
相対
相対
　前記分割単位を前記
相対
　当該特定した分割単位に表示データを供給することで前記画面に画像を表示させるにあたり、前記
相対
相対
　を備えたことを特徴とする表示装置。」
　と補正する内容を含むものである。
　なお、アンダーラインは、補正個所を示すために請求人が付したものである。
　
（２）補正の目的の適合性
　上記手続補正は、補正前の請求項１に記載した発明を特定するために必要な事項（以下、「発明特定事項」という。）である「相対アドレスを変更することにより画像の位置および表示サイズを変更」する点の構成について、「相対アドレスを用い該相対アドレスの部分的変更によって現画像の部分的位置あるいは部分的表示サイズを変更する相対アドレス変更手段」とし、補正前の請求項３に記載した発明特定事項である「分割単位をビットにより特定して表示データを供給する表示データ供給手段」について、「分割単位およびこの分割単位に対応した表示手段の画面上の相対アドレスをビットにより特定して表示データを前記表示手段に供給する表示データ供給手段」としたものであり、それぞれ補正前の発明特定事項に限定を付加したものと認められる。
　また、補正前の請求項５乃至９の発明特定事項である「アドレス」を「相対アドレス」とする点も、補正前の発明特定事項に限定を付加したものと認められる。
　したがって、上記手続補正は、特許請求の範囲の減縮を目的とするものと認められ、特許法第１７条の２第４項第２号の規定に該当するものである。
　　
（３）独立特許要件
　そこで、本件補正後の特許請求の範囲の請求項３に係る発明（以下、「本願補正発明」という。）が、特許出願の際独立して特許を受けることができるものであるか（特許法第１７条の２第５項において準用する同法第１２６条第５項の規定に適合するか）について、以下検討する。
　
（３−１）引用例
　原査定の拒絶の理由に引用された、本願の出願の日前の他の出願であって、その出願後に出願公開された特願平９−１４４２９６号（特開平１０−３３３６３１号公報参照。以下、「先願」という。）の願書に最初に添付した明細書及び図面（以下、「先願明細書等」という。）には、次の事項が記載されている。
１ａ．「【請求項１】　同一構成の表示ユニットを複数個連結させることにより，画面の拡張が可能な拡張型表示装置であって，
　前記表示ユニットは，マトリックス状に配列された複数の表示素子と，前記複数の表示素子の表示状態を制御するコントローラと，前記画面内における各表示素子の個々のアドレス情報を記憶するための記憶部と，前記コントローラと外部装置または他の表示ユニットとの間で信号のやり取りを行うための信号伝達部と，前記複数の表示素子，コントローラ，記憶部および信号伝達部に電力を供給するための電力伝達部と，を備え，
　前記電力伝達部は，前記表示ユニットを複数個連結した場合に，隣接する前記表示ユニットの電力伝達部と電気的に接続される構成であり，
　前記信号伝達部は，前記表示ユニットを複数個連結した場合に，隣接する前記表示ユニットの信号伝達部と信号のやり取りを行える構成であり，
　前記複数の表示ユニットの各コントローラは，前記表示ユニットを複数個連結した場合に，前記信号伝達部を介して，隣接する他の表示ユニットのコントローラと信号のやり取りを行って，前記表示ユニットを複数個連結した画面のサイズおよび前記画面中の自ユニットの位置を認識し，前記自ユニットの位置に基づいて，前記画面内における各表示素子の個々のアドレス情報を生成して前記記憶部に記憶させることを特徴とする拡張型表示装置。
【請求項２】　前記複数の表示ユニットの各コントローラは，外部装置または隣接する他の表示ユニットから，前記表示素子を特定する表示アドレス情報および表示内容を示す表示データ情報を含む表示信号を入力すると，自ユニットの前記記憶部を参照して，前記表示アドレス情報と一致するアドレス情報が存在するか否か判定し，一致するアドレス情報が存在する場合に，前記表示データ情報に基づいて，該当するアドレス情報を有する表示素子の表示状態を変更することを特徴とする請求項１記載の拡張型表示装置。
【請求項３】　前記画面内における各表示素子の個々のアドレス情報は，先ず，前記画面を４分割し，分割した画面のそれぞれの位置に対応させて『００』，『０１』，『１０』，『１１』の２ビットの第１のエリア・アドレスを付与し，次に，前記第１のエリア・アドレスによって特定される１／４画面をさらに４分割し，分割した画面のそれぞれの位置に対応させて『００』，『０１』，『１０』，『１１』の２ビットの第２のエリア・アドレスを付与し，続いて，前記第２のエリア・アドレスによって特定される１／８画面をさらに４分割し，分割した画面のそれぞれの位置に対応させて『００』，『０１』，『１０』，『１１』の２ビットの第３のエリア・アドレスを付与し，以降，分割した画面内の表示素子の数が１個になるまでｎ回の分割処理を行って第ｎのエリア・アドレスを付与し，前記第１のエリア・アドレスから第ｎのエリア・アドレスを順番に並べたビットの列で表されることを特徴とする請求項１または２記載の拡張型表示装置。」（【特許請求の範囲】）
　
１ｂ．「【００１０】本発明は上記に鑑みてなされたものであって，ユーザーが画面のサイズを自由かつ簡単に変更でき，画面のサイズに応じて解像度を増減できる拡張型表示装置および拡張型表示装置を用いた表示システムを提供することを目的とする。」
　
１ｃ．「【００２４】〔実施の形態１〕図１は，実施の形態１の拡張型表示装置１００を用いた表示システムの概略構成図を示し，同一構成の表示ユニット１０１を複数個連結させることにより，画面の拡張が可能な拡張型表示装置１００と，拡張型表示装置１００に電力を供給する電源２００と，表示アドレス情報および表示内容を示す表示データ情報を含む表示信号を拡張型表示装置１００へ供給する制御装置３００と，から構成される。なお，ここでは，電源２００を独立した装置として記述するが，通常の家庭用電源（１００Ｖ）に直接接続しても良い。また，制御装置３００を介して電力を供給するようにしても良い。
【００２５】図２（ａ），（ｂ）は，拡張型表示装置１００の表示ユニット１０１の概略構成図を示し，同図（ａ）は表示ユニット１０１の表側，同図（ｂ）は表示ユニット１０１の裏側を示す。表示ユニット１０１は，マトリックス状に配列された複数の表示素子１０２と，複数の表示素子１０２の表示状態を制御するコントローラ１０３と，表示ユニット１０１を複数個連結して構成した画面内における各表示素子１０２の個々のアドレス情報を記憶するためのメモリ（記憶部）１０４と，コントローラ１０３と制御装置３００または他の表示素子１０２との間で信号のやり取りを行うための信号伝達部１０５と，複数の表示素子１０２，コントローラ１０３，メモリ１０４および信号伝達部１０５に電力を供給するための電力伝達部１０６と，が配設されている。」
　
１ｄ．「【００３２】なお，コントローラ１０３は，表示ユニット１０１を複数個連結した場合に，信号伝達部１０５を介して，隣接する他の表示ユニット１０１のコントローラ１０３と信号のやり取りを行って，表示ユニット１０１を複数個連結した画面のサイズおよび画面中の自ユニットの位置を認識し，自ユニットの位置に基づいて，画面内における各表示素子１０２の個々のアドレス情報を生成してメモリ１０４に記憶させる。」
　
１ｅ．「【００４１】〈２〉（当審注；丸付き数字の「２」を〈２〉と表記する。他の丸付き数字についても、以下同様の取り扱いとする。）コントローラによるアドレス情報の設定処理
　前述したように表示ユニット１０１を連結させて，所望のサイズの画面を組み立てた後，表示ユニット１０１のいずれか一つの電力伝達部１０６に電源２００を接続すると，電源２００を接続した表示ユニット１０１のコントローラ１０３が，信号伝達部１０５を介してアドレス情報の設定処理の開始コマンドを他の表示ユニット１０１へ出力する。
【００４２】画面を構成する全ての表示ユニット１０１のコントローラ１０３は，開始コマンドを入力すると，隣接する他の表示ユニット１０１のコントローラ１０３と信号のやり取りを行って，自ユニットの右側，左側，上側，下側にそれぞれ何個の表示ユニットが存在するかを判別し，画面のサイズおよび画面中の自ユニットの位置を認識する。
【００４３】具体的には，例えば，図７（ａ）に示すように，４個の表示ユニット１０１Ａ〜１０１Ｄの配置で画面が構成されており，表示ユニット１０１Ｄに電源２００が接続されている場合，表示ユニット１０１Ｄのコントローラ１０３から表示ユニット１０１Ａ，１０１Ｂおよび１０１Ｃに対して開始コマンドが出力され，次に，各表示ユニットが，自ユニットの右側に隣接する表示ユニットに対して，自ユニットの左側に何個の表示ユニットが存在するかを通知し，同様に自ユニットの左側に対して，自ユニットの右側に何個の表示ユニットが存在するかを通知し，自ユニットの上側に対して，自ユニットの下側に何個の表示ユニットが存在するかを通知し，自ユニットの下側に対して，自ユニットの上側に何個の表示ユニットが存在するかを通知する。
【００４４】したがって，ここでは，１０１Ａから１０１Ｂに対して左側に『０個』が通知されることにより，１０１Ｂは左側に１０１Ａのみ（すなわち，『１個』）が存在することが分かり，自ユニットを加えて，左右方向の画面が２つの表示ユニットで構成されていることを認識する。
【００４５】また，１０１Ｂは，１０１Ｄから下側に『０個』存在する旨の通知を受けて，下側に１０１Ｄのみ（すなわち，『１個』）が存在することが分かり，自ユニットを加えて，上下方向の画面が２つの表示ユニットで構成されていることを認識する。したがって，１０１Ｂは左右方向および上下方向の表示ユニットの数から画面のサイズを認識することができると共に，画面中の自ユニットの位置を認識することができる。
【００４６】他の１０１Ａ，１０１Ｃ，１０１Ｄの表示ユニットも同様に画面のサイズおよび自ユニットの位置を認識することができる。
【００４７】なお，図７（ｂ）に示すように，１６個の表示ユニット１０１Ａ〜１０１Ｑを用いて画面を構成した場合にも，同様の手順で，各表示ユニットは画面のサイズおよび自ユニットの位置を認識することができる。ただし，上側・下側・左側・右側の全てに隣接する表示ユニットが存在する場合，他の表示ユニットから情報を入力した後，始めて他の表示ユニットへ情報を通知することが可能となる。例えば，１０１Ｈの場合には，１０１Ｃから上側に『０個』の通知を入力した後，１０１Ｌに対して上側に『１個』を通知することができる。
【００４８】このようにして画面のサイズおよび自ユニットの位置を認識した各コントローラ１０３は，図８（ａ）〜（ｄ）に示す方法で，画面内における自ユニットの管理する各表示素子の個々のアドレス情報を設定する。
【００４９】図８（ａ）は，複数の表示ユニット１０１を連結させた画面全体を示し，画面全体を１つのエリア（換言すれば，１つの画素）として認識した状態を示している。この場合，画面の分割回数は『０』であり，表示分解能（換言すれば，エリア数：解像度）は『１』，このエリアを特定するためのアドレスに必要なビット数は『０』（すなわち，唯一のエリアであるため）となる。
【００５０】アドレス情報を設定する場合，先ず，図８（ａ）の画面を，図８（ｂ）に示すように４分割し，分割した画面（エリアａ〜ｄ）のそれぞれの位置に対応させて，『００』，『０１』，『１０』，『１１』の２ビットの第１のエリア・アドレスを付与する。この場合，画面の分割回数は『１』であり，表示分解能（換言すれば，エリア数）は『４』，このエリアを特定するためのアドレスに必要なビット数は『２』となる。
【００５１】次に，第１のエリア・アドレスによって特定される１／４画面（エリアａ〜ｄ）をさらに４分割し，分割した画面のそれぞれの位置に対応させて『００』，『０１』，『１０』，『１１』の２ビットの第２のエリア・アドレスを付与する。例えば，エリアａをさらに４分割し，第２のエリア・アドレスを付与すると，図８（ｃ）に示すように，第１のエリア・アドレスと第２のエリア・アドレスとを用いて，『００００』でエリアｅを特定でき，『０００１』でエリアｆを特定でき，『００１０』でエリアｇを特定でき，『００１１』でエリアｈを特定できる。この場合，画面の分割回数は『２』であり，表示分解能（換言すれば，エリア数）は『１６』，このエリアを特定するためのアドレスに必要なビット数は『４』となる。
【００５２】続いて，第２のエリア・アドレスによって特定される１／８画面をさらに４分割し，分割した画面のそれぞれの位置に対応させて『００』，『０１』，『１０』，『１１』の２ビットの第３のエリア・アドレスを付与する。例えば，エリアｉで示される１／１６画面は『０１０１０１』で特定できる。この場合，画面の分割回数は『３』であり，表示分解能（換言すれば，エリア数）は『６４』，このエリアを特定するためのアドレスに必要なビット数は『６』となる。
【００５３】以降，分割した画面（すなわち，エリア）内の表示素子１０２の数が１個になるまでｎ回の分割処理を行って第ｎのエリア・アドレスを付与することにより，最終的に第１のエリア・アドレスから第ｎのエリア・アドレスを順番に並べたビットの列で各表示素子１０２のアドレス情報を設定する。
【００５４】なお，実施の形態１では，表示ユニット１０１が，２2m個（ｍは整数）の表示素子を，（２ｍ）×（２ｍ）のマトリックス状に配列した構成であるため，表示ユニット１０１を分割（４分割）していくと，最終的に１個の表示素子１０２に到達する。
【００５５】このようにアドレス情報を設定することにより，任意の枚数の表示ユニット１０１を連結させて構成した画面であっても，個々の表示素子１０２の位置（アドレス情報）を特定することができる。
【００５６】また，画面を構成する各表示ユニット１０１のメモリ１０４には，個々の表示素子１０２のアドレス情報が，画面全体からの分割回数に基づいて設定された第１のエリア・アドレスから第ｎのエリア・アドレスを順番に並べたビットの列として記憶されているので，第１のエリア・アドレスから第何番目のエリア・アドレスまで使用するかを指定することにより，指定した第何番目かの分割回数に対応する表示分解能（解像度）を有する画面として拡張型表示装置１００を使用することができるようになる。換言すれば，第ｎのエリア・アドレスまでを使用したときの表示分解能を最大解像度として，任意の解像度で拡張型表示装置１００を使用することができる。」
　
１ｆ．「【００５８】〈３〉表示信号のデータ構造
　次に，図９および図１０を参照して，制御装置３００から出力される表示信号のデータ構造について説明する。〈２〉コントローラによるアドレス情報の設定処理で説明したように，拡張型表示装置１００にはアドレス情報が，画面全体からの分割回数に基づいて設定された第１のエリア・アドレスから第ｎのエリア・アドレスを順番に並べたビットの列として設定されているので，第１のエリア・アドレスから第何番目のエリア・アドレスまで使用するかを指定することにより，指定した第何番目かの分割回数に対応する表示分解能（解像度）を有する画面として拡張型表示装置１００を使用することができる。換言すれば，第ｎのエリア・アドレスまでを使用したときの表示分解能を最大解像度として，任意の解像度で拡張型表示装置１００を使用することができる。
【００５９】したがって，表示信号は，図９に示すように，表示分解能を指定する表示分解能情報と，表示素子を特定する表示アドレス情報と，表示アドレス情報で特定した表示素子の表示内容を示す表示データ情報とを有する構造とする。このデータ構造から明らかなように，表示信号は表示分解能情報および表示アドレス情報によって特定される送信宛先情報と，その送信宛先に対するコマンドである表示データ情報とから構成されるので，パケット通信によって任意の経路を通して配信しても，確実に目的とする送信宛先の表示素子１０２に該当する表示データを届けることができる。
【００６０】表示分解能情報で指定される表示分解能は，前述したように分割回数と対応しており，また，分割回数によって第何番目のエリア・アドレスまで使用するか（換言すれば，アドレス情報中の使用するビット長）が決定される。図１０は，分割回数，表示分解能情報，表示アドレス情報のビット長および表示分解能の対応関係を示し，４ビットの表示分解能情報で，ビット長が３０ビット（第１５のエリア・アドレス）の表示アドレス情報まで対応することができる。このときの表示分解能が１Ｇ（ギガ）であるため，現在の想定される高解像度の要求に十分対応可能である。」
　
１ｇ．「【００６１】〈４〉拡張型表示装置の画像データ表示処理
　次に，図１１（ａ）〜（ｃ）を参照して，拡張型表示装置の画像データ表示処理について説明する。拡張型表示装置１００は，制御装置３００から表示信号（画像データ）を入力すると，各表示ユニット１０１の信号伝達部１０５を介して画面を構成する全ての表示ユニット１０１へ表示信号を伝達する。
【００６２】一方，各コントローラ１０３は表示信号を入力すると，表示信号の先頭の４ビット（すなわち，表示分解能情報）を参照して，表示アドレス情報のビット長を判定する。ここで，図１１（ａ）で示す表示信号１１０１が入力されたとすると，表示分解能情報『０００１』から表示アドレス情報のビット長が２ビットであることが分かるので，表示信号の５ビット目と６ビット目の『００』を表示アドレス情報として取り出し，自ユニットのメモリ１０４に記憶されているアドレス情報の上位２ビットを参照して前記表示アドレス情報と一致するアドレス情報が存在するか否か判定する。一致するアドレス情報が存在する場合には，表示信号の７ビット目の表示データ情報に基づいて，該当するアドレス情報を有する全ての表示素子の表示状態を変更する。一方，一致するアドレス情報が存在しない場合には，表示状態の変更を行わない。この結果，アドレス情報が『００』のエリア１１０１Ａの全ての表示素子１０２が表示データ情報『１』に基づいて『オン』される。なお，ここでは説明を簡単にするために１色の表現で，かつ，表示状態のオン・オフ制御を示すが，表示素子１０２を構成する３つの発光ダイオードＲ，Ｇ，Ｂを個別にオン・オフ制御および輝度調整制御を行ってカラー表示を行うのは勿論である。
【００６３】また，例えば，コントローラ１０３が表示信号１１０２〜１１０５を入力すると，表示分解能情報『００１０』から表示アドレス情報のビット長が４ビットであることが分かるので，表示信号の５ビット目〜８ビット目の４ビットを表示アドレス情報として取り出し，自ユニットのメモリ１０４に記憶されているアドレス情報の上位４ビットを参照して前記表示アドレス情報と一致するアドレス情報が存在するか否か判定する。一致するアドレス情報が存在する場合には，表示信号の９ビット目の表示データ情報に基づいて，該当するアドレス情報を有する全ての表示素子の表示状態を変更する。この結果，アドレス情報が『０１１０』のエリア１１０２Ａの全ての表示素子１０２が表示データ情報『１』に基づいて『オン』される。同様に，アドレス情報が『１００１』のエリア１１０３Ａ，アドレス情報が『１１０１』のエリア１１０４Ａ，アドレス情報が『１１１０』のエリア１１０５Ａの表示素子１０２が表示データ情報『１』に基づいて『オン』される。
【００６４】また，例えば，コントローラ１０３が表示信号１１０６〜１１０８を入力すると，表示分解能情報『００１１』から表示アドレス情報のビット長が６ビットであることが分かるので，表示信号の５ビット目〜１０ビット目の６ビットを表示アドレス情報として取り出し，自ユニットのメモリ１０４に記憶されているアドレス情報の上位６ビットを参照して前記表示アドレス情報と一致するアドレス情報が存在するか否か判定する。一致するアドレス情報が存在する場合には，表示信号の１１ビット目の表示データ情報に基づいて，該当するアドレス情報を有する全ての表示素子の表示状態を変更する。この結果，アドレス情報が『０１１１１０』のエリア１１０６Ａ，アドレス情報が『１０１１０１』のエリア１１０７Ａ，アドレス情報が『１１１１００』のエリア１１０８Ａの表示素子１０２が表示データ情報『１』に基づいて『オン』される。」
　
１ｈ．「【００６８】〔実施の形態２〕実施の形態２の拡張型表示装置を用いた表示システムは，各表示素子のアドレス情報を拡張型表示装置側で設定することに代えて，制御装置がアドレス情報を生成して，拡張型表示装置の記憶部に記憶させるものである。
【００６９】図１２は，実施の形態２の拡張型表示装置４００を用いた表示システムの概略構成図を示し，同一構成の表示ユニット１０１を複数個連結させることにより，画面の拡張が可能な拡張型表示装置４００と，拡張型表示装置４００に電力を供給すると共に，表示分解能情報，表示アドレス情報および表示データ情報を含む表示信号を拡張型表示装置４００へ供給する制御装置５００と，から構成される。なお，ここでは，制御装置５００が電源としての役割を果たしているが，例えば，拡張型表示装置４００を家庭用電源に直接接続して，電力を供給しても良い。
【００７０】また，拡張型表示装置４００の構成は，基本的に実施の形態１の拡張型表示装置１００と同様であるが，表示ユニット１０１内のコントローラ１０３はアドレス情報の設定を行わないものとする。」
　
１ｉ．「【００８０】〈６〉アドレス情報設定部によるアドレス情報の設定処理
　アドレス情報設定部５０２は，判定部５０１から拡張型表示装置４００の画面のサイズおよび形状として，各表示ユニットのｘ−ｙ平面上における座標を入力すると，図１５（ａ）に示すように，拡張型表示装置４００の画面に外接する最小の矩形領域を仮想画面１５０１として仮定する。
【００８１】次に，実施の形態１の図８（ａ）〜（ｄ）で説明した方法を用いて，この仮想画面１５０１を分割して，図１５（ｂ）に示すように，第１のエリア・アドレス１５０２〜１５０５を決定し，以降，分割した画面（すなわち，エリア）内の表示素子１０２の数が１個になるまでｎ回の分割処理を行って第ｎのエリア・アドレスを付与することにより，最終的に第１のエリア・アドレスから第ｎのエリア・アドレスを順番に並べたビットの列で各表示素子１０２のアドレス情報を決定する。
【００８２】アドレス情報設定部５０２は，全ての表示素子１０２のアドレス情報が決まると，拡張型表示装置４００の各表示ユニット１０１のコントローラ１０３を介して，各表示ユニット１０１のメモリ１０４へ該当するアドレス情報を伝送して，記憶させる。
【００８３】なお，アドレス情報設定部５０２から各表示ユニット１０１へのアドレス情報の伝送は，例えば，製造時にあらかじめ各表示ユニット１０１に固有の識別番号（例えば，ユニット・アドレス）を設定しておき，この識別番号を用いて表示ユニット１０１を特定し，該当するアドレス情報を伝送するようにしても良く，あるいは，判定部５０１で各表示ユニット１０１から連結状態を入力する際に，前述したｘ−ｙ平面上の座標を，各表示ユニット１０１を特定するための仮の識別番号として，各表示ユニット１０１のコントローラ１０３へ通知しておき，このｘ−ｙ平面上の座標を用いて，表示ユニット１０１を特定し，該当するアドレス情報を伝送しても良い。
【００８４】後者のｘ−ｙ平面上の座標を用いる方法では，製造時に識別番号を設定する必要がなく，各表示ユニット１０１のメモリ１０４内の情報まで完全に同一とすることができるので，製造工程の簡略化を図ることができると共に，表示ユニット１０１の互換性・同一性を完全にすることができる。
【００８５】なお，ここまでの説明で明らかなように，各表示素子１０２のアドレス情報を決定する場合，エリアの分割（４分割）を繰り返して，最終的に１個の表示素子１０２のアドレス情報を決定するため，分割を開始するエリア（画面全体）のサイズおよび形状が，２2n個（ｎは整数であり，分割回数ｎと同じ値）の表示素子１０２を，（２ｎ）×（２ｎ）のマトリックス状に配列されている必要がある。
【００８６】ところが，拡張型表示装置４００の画面は，ユーザーが自由に表示ユニット１０１を組み合わせて構成するため，必ずしも画面全体が，２2n個（ｎは整数であり，分割回数ｎと同じ値）の表示素子１０２を，（２ｎ）×（２ｎ）のマトリックス状に配列した構成になるとは限らない。
【００８７】一方，前述したように表示ユニット１０１は，２2m個（ｍは整数）の表示素子を，（２ｍ）×（２ｍ）のマトリックス状に配列した構成であるため，表示ユニット１０１を分割（４分割）していくと，最終的に１個の表示素子１０２に到達する。
【００８８】したがって，アドレス情報設定部５０２は，判定部５０１から拡張型表示装置４００の画面のサイズおよび形状を入力して，拡張型表示装置４００の画面に外接する最小の矩形領域を仮想画面として仮定する際に，仮想画面が，２2i個（ｉは整数）の表示ユニット１０１を，（２ｉ）×（２ｉ）のマトリックス状に配列した構成になるように設定する。すなわち，仮想画面を分割（４分割）していくと，必ず１個の表示ユニット１０１に到達し，１個の表示ユニット１０１を分割（４分割）していくと，最終的に１個の表示素子１０２に到達することになる。
【００８９】具体的には，例えば，図１６（ａ）に示すように，５個の表示ユニット１６０１〜１６０５で構成された画面の場合，画面に外接する最小の矩形領域を仮想画面として仮定すると，図１６（ｂ）の仮想画面Ｌ１となる。ところが，この仮想画面に対して分割（４分割）を繰り返した場合，最終的に１個の表示素子１０２に到達するか否かは定かでない。
【００９０】したがって，このような場合には，図１６（ｃ）に示すように，２2i個（ここでは，ｉ＝２）の表示ユニットを，４×４のマトリックス状に配列した仮想画面Ｌ２を設定して，この仮想画面Ｌ２を分割して，図１６（ｄ）に示すように，第１のエリア・アドレスを決定し，以降，分割した画面（すなわち，エリア）内の表示素子１０２の数が１個になるまでｎ回の分割処理を行って第ｎのエリア・アドレスを付与することにより，最終的に第１のエリア・アドレスから第ｎのエリア・アドレスを順番に並べたビットの列で各表示素子１０２のアドレス情報を決定する。
【００９１】このように仮想画面を設定することにより，拡張型表示装置４００の画面がどのようなサイズまたは形状であっても，同様の方法で各表示素子１０２のアドレス情報を設定することができる。」
　
（３−２）対比・判断
　先願明細書等の（３−１）の「１ａ．」乃至「１ｉ．」の記載から以下のことが読み取れる。
（ア）「１ｃ．」及び「１ｄ．」の記載から、
・表示システムは、同一構成の表示ユニット１０１を複数個連結させた拡張型表示装置１００と、表示アドレス情報および表示内容を示す表示データ情報を含む表示信号を拡張型表示装置１００へ供給する制御装置３００とをその構成として含むこと。
・表示ユニット１０１は、マトリックス状に配列された複数の表示素子１０２と、複数の表示素子１０２の表示状態を制御するコントローラ１０３と、表示ユニット１０１を複数個連結して構成した画面内における各表示素子１０２の個々のアドレス情報を記憶するためのメモリ（記憶部）１０４と、コントローラ１０３と制御装置３００または他の表示素子１０２との間で信号のやり取りを行うための信号伝達部１０５とを含むこと。
・コントローラ１０３は，自表示ユニット１０１の位置に基づいて，画面内における各表示素子１０２の個々のアドレス情報を生成してメモリ１０４に記憶させること。
（イ）「１ｅ．」の記載から、
・コントローラ１０３は、以下のようにして、画面内における自ユニットの管理する各表示素子１０２の個々のアドレス情報を設定すること。
　即ち、複数の表示ユニット１０１を連結させた拡張型表示装置１００の画面全体について４分割する処理を、分割した画面（エリア）内の表示素子１０２の数が１個になるまでｎ回行い、画面全体からの分割回数に基づいて設定された、それぞれ２ビットからなる第１のエリア・アドレスから第ｎのエリア・アドレスを順番に並べた２ｎビットの列で、各表示素子１０２のアドレス情報を設定する。
・各表示ユニット１０１のメモリ１０４には、個々の表示素子１０２のアドレス情報が、記憶されており、第１のエリア・アドレスから第何番目のエリア・アドレスまで使用するかを指定することにより、指定した第何番目かの分割回数に対応する表示分解能（解像度）を有する画面として拡張型表示装置１００を使用することができるようになること。
（ウ）「１ｆ．」の記載から、
・制御装置３００から出力される表示信号は、それぞれ複数のビットからなる、表示分解能情報および表示アドレス情報によって特定される送信宛先情報と，その送信宛先に対するコマンドである表示データ情報とから構成され、任意の経路を通して配信しても，確実に目的とする送信宛先の表示素子１０２に該当する表示データを届けることができること。
・表示分解能情報で指定される表示分解能は分割回数と対応しており、分割回数によって第何番目のエリア・アドレスまで使用するか（アドレス情報中の使用するビット長）が決定されること。
（エ）「１ｇ．」の記載から、
・拡張型表示装置１００は、制御装置３００から送られた表示信号（画像データ）を入力すると、各表示ユニット１０１の信号伝達部１０５を介して画面を構成する全ての表示ユニット１０１へ表示信号を伝達すること。
・コントローラ１０３が表示信号を入力すると、制御装置３００から送られた表示分解能情報（分割回数）に応じた所定ビット長の表示アドレス情報を取り出し、メモリ１０４に記憶されているアドレス情報を参照して、前記所定ビット長の表示アドレス情報と一致するアドレス情報が存在する場合には、表示信号の表示データ情報に基づいて該当するアドレス情報を有する全ての表示素子の表示状態を変更すること。
　
　したがって、先願明細書等には、次の発明（以下、「先願明細書等に記載された発明」という。）が記載されているものと認められる。
「複数の表示ユニット１０１を連結させた拡張型表示装置１００の画面全体について４分割する処理を、分割した画面（エリア）内の表示素子１０２の数が１個になるまでｎ回行い、画面全体からの分割回数に基づいて設定された、それぞれ２ビットからなる第１のエリア・アドレスから第ｎのエリア・アドレスを順番に並べた２ｎビットの列で、各表示素子１０２の表示アドレス情報を設定するコントローラ１０３と、
　それぞれ複数のビットからなる、分割回数と対応する表示分解能情報およびこの表示分解能情報（分割回数）に応じた所定ビット長の表示アドレス情報によって特定される送信宛先情報と、その送信宛先に対するコマンドである表示データ情報とから構成された表示信号を拡張型表示装置１００に送る制御装置３００と、を備え、
　前記コントローラ１０３は、前記制御装置３００から送られた表示分解能情報（分割回数）に応じた所定ビット長の表示アドレス情報を取り出し、メモリ１０４に記憶されているアドレス情報を参照して、前記所定ビット長の表示アドレス情報と一致するアドレス情報が存在する場合には、表示信号の表示データ情報に基づいて該当するアドレス情報を有する全ての表示素子の表示状態を変更することを特徴とする表示システム。」
　
　そこで、本願補正発明（前者）と上記先願明細書等に記載された発明（後者）とを対比する。
・後者の「４分割」「複数の表示ユニット１０１を連結させた拡張型表示装置１００」、「画面全体」、「４分割する処理を、分割した画面（エリア）内の表示素子１０２の数が１個になるまでｎ回行い、画面全体からの分割回数に基づいて設定された、それぞれ２ビットからなる第１のエリア・アドレスから第ｎのエリア・アドレスを順番に並べた２ｎビットの列で、各表示素子１０２のアドレス情報を設定するコントローラ１０３」は、それぞれ、前者の「特定フォーマットにより分割」、「表示手段」、「画面」、「特定フォーマットにより表示手段の画面を分割し、この分割単位を更に分割することによって当該分割を連鎖的に繰り返す画面分割手段」に相当する。
・後者の「複数のビットからなる分割回数と対応する表示分解能情報」及び「この表示分解能情報（分割回数）に応じた所定ビット長の表示アドレス情報」は、前者の「ビットにより特定」された「分割単位」及び「この分割単位に対応した前記表示手段の画面上の相対アドレス」に相当し、後者の「送信宛先に対するコマンドである表示データ情報」及び「制御装置３００」は、前者の「表示データ」及び「表示データ供給手段」に相当する。
・後者の「表示システム」は、前者の「表示装置」に相当する。
・後者は、「コントローラ１０３は、前記制御装置３００から送られた表示分解能情報（分割回数）に応じた所定ビット長の表示アドレス情報を取り出し、メモリ１０４に記憶されているアドレス情報を参照して、前記所定ビット長の表示アドレス情報と一致するアドレス情報が存在する場合には、表示信号の表示データ情報に基づいて該当するアドレス情報を有する全ての表示素子の表示状態を変更する」のであるから、分割した画面（エリア）の位置やサイズがビットの指定によりなされているものといえる。そして、そのようなビットの指定は、少なくとも表示システムにおいてなされていることは明らかであるから、「ビットの操作」の範疇に包含されるものと認められる「ビットの指定」という機能を表示システムが果たしているものと認められる。　
　そうすると、後者の「表示システム」は、前者の「ビット操作手段」の行う「ビットの操作」の範疇に包含される「ビットの指定」を行うための機能を有しているものということができ、前者の「ビット操作手段」がその果たすべき機能を実現するための回路構成等を特定するものともいえないから、この点において、両者に実質的な差異があるとすることはできない。
　
　したがって、本願補正発明は、先願明細書等に記載された発明と同一であり、しかも、本願の発明者が上記先願の発明者と同一であるとも、また、本願の出願時に、その出願人が上記他の出願（上記先願）の出願人と同一であるとも認められないので、特許法第２９条の２の規定により特許出願の際独立して特許を受けることができないものである。
　
（４）むすび
　以上のとおり、本件手続補正は、特許法第１７条の２第５項において準用する同法第１２６条第５項の規定に違反するものであるから、特許法第１５９条第１項において読み替えて準用する同法第５３条第１項の規定により却下すべきものである。
　
３．本願発明について
　平成１６年７月８日付けの手続補正は、上記のとおり却下されたので、本願の請求項１乃至９に係る発明は、平成１３年５月２日付け、及び平成１５年５月６日付け手続補正書により補正された明細書及び図面の記載からみて、その特許請求の範囲の請求項１乃至９に記載されたとおりのものと認められるところ、その請求項３に係る発明は、「２．（１）」の補正前の特許請求の範囲の請求項３に記載されたとおりのものである。
　
４．引用例
　原査定の拒絶の理由に引用された引用例及びその記載事項は、前記「２．（３−１）」に記載したとおりのものである。
　
５．対比・判断
　本願の請求項３に係る発明は、前記「２．」で検討した本願補正発明から、前記限定を省いたものである。
　そうすると、本願の請求項３に係る発明に包含される本願補正発明が、前記「２．（３−２）」に記載したとおり、先願明細書等に記載された発明と同一なのであるから、本願の請求項３に係る発明も、先願明細書等に記載された発明と同一となる。
　
６．むすび
　以上のとおり、本願の請求項３に係る発明は、先願明細書等に記載された発明と同一であり、しかも、本願の発明者が上記先願の発明者と同一であるとも、また、本願の出願時に、その出願人が上記他の出願（上記先願）の出願人と同一であるとも認められないから、特許法第２９条の２の規定により特許を受けることができない。
　そして、本願の請求項３に係る発明が特許を受けることができないものであるから、その余の請求項に係る発明について検討するまでもなく、本願は拒絶すべきものである。
　よって、結論のとおり審決する。